(57)【要約】本発明は、光学並びに/若しくはフォトシネマ機器用の調節可能なヘッドを設定する遠隔制御用のシステム（１）である。このシステムは、光学並びに/若しくはフォトシネマ機器（５０）を調節可能なように、装着させるための調節可能なヘッド（８）と、このヘッドの可動部分（７ａ）をこのヘッドの固定部分（６ａ）に対してロック並びに/若しくは非ロックするため、並びに/若しくは設定するための少なくとも１つのサーボメカニズム（１２）と、前記ヘッド（８）を設定するための前記サーボメカニズム（１２）の遠隔制御手段（１９）とを具備し、この遠隔制御手段は、前記サーボメカニズム（１２）から離れた少なくなくとも１つの押しボタン式の制御部（２０）を有し、この制御部は、ユーザが前記機器（５０）を把持しながら、ユーザにより動作されることができる。
2009534716.tif 000002
【特許請求の範囲】
【請求項１】
光学並びに/若しくはフォトシネマ機器用の調節可能なヘッドを設定する遠隔制御用のシステム（１）であって、光学並びに/若しくはフォトシネマ機器（５０）を調節可能なように、装着させるための調節可能なヘッド（８）と、このヘッドの可動部分（７ａ）をこのヘッドの固定部分（６ａ）に対してロック並びに/若しくは非ロックするため、並びに/若しくは設定するための少なくとも１つのサーボメカニズム（１２）とを具備するシステムにおいて、前記ヘッド（８）を設定するための前記サーボメカニズム（１２）の遠隔制御手段（１９）を具備し、この遠隔制御手段は、前記サーボメカニズム（１２）から離れた少なくとも１つの押しボタン式の制御部（２０）を有し、前記制御部は、ユーザが前記機器（５０）を把持しながら、ユーザにより動作され得ることを特徴とするシステム。
【請求項２】
前記押しボタン式の制御部（２０）は、前記機器（５）の固定プレート（７）近くで電動式の前記ヘッド（８）に配置されている、請求項１の光学並びに/若しくはフォトシネマ機器用の調節可能なヘッド（８）を設定する遠隔制御用のシステム（１）。
【請求項３】
前記制御手段（１９）は、ユーザが前記機器を把持しているときに、この機器（５０）とユーザの指との間に位置され得る前記押しボタン式の制御部（２０）を有する遠隔制御支持部（３５）を備えている、請求項１の光学並びに/若しくはフォトシネマ機器用の調節可能なヘッド（８）を設定する遠隔制御用のシステム（１）。
【請求項４】
前記遠隔制御支持部（３５）は、専用のグローブ（２６）である、請求項３の光学並びに/若しくはフォトシネマ機器用の調節可能なヘッドを設定する遠隔制御用のシステム（１）。
【請求項５】
前記ヘッド（８）は、このヘッドのボディ（１ａ）から延びているハンドル（２７）を有し、前記制御手段（１９）は、このハンドル（２７）に配置されている、請求項１の光学並びに/若しくはフォトシネマ機器用の調節可能なヘッドを設定する遠隔制御用のシステム（１）。
【請求項６】
前記押しボタン式の制御部（２０）は、前記機器（５０）に取り外し可能に装着される装着手段を有している、請求項１の光学並びに/若しくはフォトシネマ機器用の調節可能なヘッド（８）を設定する遠隔制御用のシステム（１）。
【請求項７】
前記制御手段（１９）は、前記押しボタン式の制御部（２０）から前記サーボメカニズム（１２）に制御信号を送るトランスミッター（２１）を有している、請求項１ないし６のいずれか１の光学並びに/若しくはフォトシネマ機器用の調節可能なヘッド（８）を設定する遠隔制御用のシステム（１）。
【請求項８】
前記トランスミッター（２１）は、前記グローブ（２６）に組み込まれている、請求項７の光学並びに/若しくはフォトシネマ機器用の調節可能なヘッド（８）を設定する遠隔制御用のシステム（１）。
【請求項９】
前記トランスミッター（２１）は、前記ハンドル（２７）に組み込まれている、請求項７の光学並びに/若しくはフォトシネマ機器用の調節可能なヘッド（８）を設定する遠隔制御用のシステム（１）。
【請求項１０】
前記トランスミッター（２１）は、前記機器（５０）の固定プレート（７）近くで前記ヘッドに（８）に配置されている、請求項７の光学並びに/若しくはフォトシネマ機器用の調節可能なヘッド（８）を設定する遠隔制御用のシステム（１）。
【請求項１１】
前記トランスミッター（２１）は、無線若しくは赤外線を使用したトランスミッターである、請求項７ないし１０のいずれか１の光学並びに/若しくはフォトシネマ機器用の調節可能なヘッド（８）を設定する遠隔制御用のシステム（１）。
【請求項１２】
前記トランスミッター（２１）は、前記機器（５０）に取り外し可能に装着される把持手段を有している、請求項１の光学並びに/若しくはフォトシネマ機器用の調節可能なヘッド（８）を設定する遠隔制御用のシステム（１）。
【請求項１３】
前記ヘッド（８）は、このヘッドと支持体（２）との間の接続を可能にし、かつ所定の数の軸線を中心としてこのヘッド（８）の傾きを調節し得る少なくとも１つの枢支ジョイント（１０，１０'，１０'')を有している、請求項１ないし１２のいずれか１の光学並びに/若しくはフォトシネマ機器用の調節可能なヘッド（８）を設定する遠隔制御用のシステム（１）。
【請求項１４】
前記ジョイント(１０，１０'，１０''）は、ボールジョイントである、請求項１３の光学並びに/若しくはフォトシネマ機器用の調節可能なヘッド（８）を設定する遠隔制御用のシステム（１）。
【請求項１５】
前記サーボメカニズム（１２）は、前記ジョイント（１０，１０’，１０’’）内に配置されている、請求項１３又は１４の光学並びに/若しくはフォトシネマ機器用の調節可能なヘッド（８）を設定する遠隔制御用のシステム（１）。
【請求項１６】
前記遠隔制御手段（１９）は、電線（２８，６１）により前記サーボメカニズム（１２）に接続されている、請求項１の光学並びに/若しくはフォトシネマ機器用の調節可能なヘッド（８）を設定する遠隔制御用のシステム（１）。
【請求項１７】
前記前記トランスミッター（２１）により送られた信号を受信可能な、前記サーボメカニズム（１２）に接続されたレシーバー（２２）を有している、請求項６ないし１６のいずれか１の光学並びに/若しくはフォトシネマ機器用の調節可能なヘッド（８）を設定する遠隔制御用のシステム（１）。
【請求項１８】
前記レシーバー（２２）は、前記ヘッド（８）に組み込まれている請求項１６又は１７の光学並びに/若しくはフォトシネマ機器用の調節可能なヘッド（８）を設定する遠隔制御用のシステム（１）。
【請求項１９】
電源（３９）を具備し、前記サーボメカニズム（１２）は、この電源（３９）に接続されている、請求項１ないし１８のいずれか１の光学並びに/若しくはフォトシネマ機器用の調節可能なヘッド（８）を設定する遠隔制御用のシステム（１）。
【請求項２０】
前記電源（３９）は、前記ヘッド（８）に組み込まれている請求項１９の光学並びに/若しくはフォトシネマ機器用の調節可能なヘッド（８）を設定する遠隔制御用のシステム（１）。
【請求項２１】
前記サーボメカニズム（１２）は、前記遠隔制御手段（１９）により制御され得る、ヘッド（８）の前記可動部分（７ａ）を前記固定部分（６ａ）に対してロック/非ロックするアクチュエータ手段（１５）を有している請求項１ないし２０のいずれか１の光学並びに/若しくはフォトシネマ機器用の調節可能なヘッド（８）を設定する遠隔制御用のシステム（１）。
【請求項２２】
前記ロック/非ロックするアクチュエータ手段（１５）は、前記ジョイント（１０，１０’，１０’’）に摩擦によるロック用の負荷を与える手段を有している、請求項２１の光学並びに/若しくはフォトシネマ機器用の調節可能なヘッド（８）を設定する遠隔制御用のシステム（１）。
【請求項２３】
前記サーボメカニズム（１２）は、ヘッド（８）の前記可動部分（７ａ）の前記固定部分（６ａ）に対する設定手段（１８）を有し、この設定手段は、前記枢支ジョイント（１０，１０’，１０’’）の少なくとも１つの回動軸線に沿って前記可動部分（７ａ）の動きを制御可能であり、また、この設定手段（１８）は、前記遠隔制御手段（１９）により制御可能である、請求項１ないし２２のいずれか１の光学並びに/若しくはフォトシネマ機器用の調節可能なヘッドを設定する遠隔制御用のシステム（１）。
【請求項２４】
前記設定手段（１８）は、前記機器を支持する三脚（２）のクロスピース（３）に摺動するように挿入された支柱（５）の軸方向の移動を制御可能な、支柱（５）の摺動手段（１７）を有している、請求項２３の光学並びに/若しくはフォトシネマ機器用の調節可能なヘッド（８）を設定する遠隔制御用のシステム（１）。
【発明の詳細な説明】
【技術分野】
【０００１】
本発明は、主請求項１の前文に係わる、光学並びに/若しくはフォトシネマ機器用の調節可能な支持ヘッドを設定する遠隔制御用のシステムに関する。
【背景技術】
【０００２】
様々な方向に調節され得る支持ヘッドが、スチールカメラ、ビデオカメラ、又は、他の光学並びに/若しくはフォトシネマ機器を、これらのための支持体、例えば、三脚、スタンド、又はこの技術分野で知られる同様の支持部材に所望の方法で装着並びに調整（以下では「設定」と称する）するように、知られている。
【０００３】
知られた解決策では、このような支持ヘッドは、通常、１つ以上の軸線を中心としたこれと同数の設定機能（一般に、ビデオカメラ用には２つ、スチールカメラ用には３つ）を与えている。これらの調節を果たすことのできる、ヘッドと支持体との間の可能な接続には、ヘッドの位置を調整するようにヘッド並びに/若しくは支持体に与えられた、好ましくはボール又は円筒形タイプの１つ以上の枢支ジョイントのような様々なタイプがある。
【０００４】
これら枢支ジョイントは、例えば、ジョイント部材に直接作用するレバー又は圧力調整ねじにより、又は弾性ばねを介在させることにより加えられる摩擦力によってロック動作を与えることにより、所望の空間位置にロックされることができる。
【０００５】
前記ヘッドをロックするための他の知られた解決策には、例えば流体圧ピストン装置を有する流体圧タイプの負荷を与える手段の使用が含まれ、ピストン摺動チャンバ中の圧力を調整することにより、流体圧ピストン装置に、流体スラストが伝達される。
【０００６】
両方の場合において、ヘッドを設定するには、正確な位置付けを果たすようにユーザによる手動の介在が必要とされるか、ユーザが、満足できる位置付けを果たしこれを維持するように、様々な設定並びにロックの制御動作を行う必要がある（これらの制御動作は、ねじ又はピストンによるものである）。
【０００７】
しかし、このような介在は、操作者が、写真又はフォトシネマの撮影を行うのと同時に支持ヘッドを設定/ロックすることが不可能であることを意味している。これは、写真撮影をするのに使用されるヘッドが、設定並びに/若しくはロックの制御を動作しているためである。このような制限は、写真撮影をするのに特別な速度が必要とされるときに、特に都合が悪い。
【０００８】
かくして、写真の分野では、調節可能なヘッドが、写真又はフォトシネマ用の撮影の動作を邪魔することなく、ユーザにより動作されることができるように、調節可能なヘッドの設定を動作させる制御システムが必要である。
【発明の開示】
【０００９】
本発明の中心にある問題は、前記知られた技術の制限を克服するように構造並びに動作的に設計された、光学並びに/若しくはフォトシネマ機器用の調節可能なヘッドを設定するように、装置の遠隔制御用のシステムを提供することである。
【００１０】
この課題は、本発明により、添付の特許請求の範囲に従って形成される光学並びに/若しくはフォトシネマ機器用の調節可能なヘッドの設定装置の遠隔制御用のシステムにより、解決される。
【００１１】
本発明の更なる特長並びに利点は、添付図面の非限定的な例により示される４つの好ましい実施形態の以下の詳細な説明から明らかになる。
【発明を実施するための最良の形態】
【００１２】
図において、１は、本発明に係わる、光学並びに/若しくはフォトシネマ機器用の調節可能なヘッドを設定する遠隔制御用のシステムを、全体を通して示している。
【００１３】
このシステム１は、プレート７を空間上で調節（以下、「設定」）可能な、光学並びに/若しくはフォトシネマ機器用の支持ヘッド８を有している。前記プレートには、全ての図で５０により示されている光学並びに/若しくはフォトシネマ機器が、支持体２に対して固定されている。
【００１４】
前記プレート７への取り外し可能な装着は、とりわけ、本出願人による特許出願の主題をなしこれに関連した分野で知られるタイプの接続手段により、果たされる。例えば、プレート７は、上述された機器５０の対応した部分中にねじ留めされて、この機器をプレートに固定可能なねじ接続部を有することができる。
【００１５】
前記ヘッド８は、更に、この分野で知られる接続（図示されず）により、支持体２の構造体に取り外し可能に装着可能であることが好ましい。
【００１６】
前記ヘッド８は、このヘッド８と支持体２との間の接続を可能にし、かつ所定の数の軸線を中心としてヘッド８の傾きを調節可能な少なくとも１つの枢支ジョイント１０，１０’，１０’’を有している。選択されるジョイントのタイプは、使用される機器５０のタイプと、この機器の使用状態とにより決定される。１つのヘッド８に設けられるジョイント（例えば、ヘッド８の傾きを可能にする各軸線用に１つのジョイントが設けられる）の数とタイプとは、いずれのタイプと数との好ましいジョイントに適用可能な本発明の適用例に関して、影響を与えるものではない。
【００１７】
各ヘッド８において、６ａ，と７ａとで夫々示され、かつ可動に一緒に接続された第１並びに第２の部材を認めることができる。第１の部材６ａは、前記支持体２に固定され、一方、第２の部材７ａは、支持体に対して可動である。
【００１８】
後述される好ましい実施形態では、前記支持体２は、３つの脚部４が収束し枢支されたクロスピース３を有する三脚により代表される。本発明の開示内容が、更にヘッドが接続される支持体のタイプ（三脚、一脚、スタンド等）にかかわらず、いずれのタイプのヘッド８に適用されることは、理解されなければならない。
【００１９】
単なる一例として、図１並びに２に示されている本発明の２つの好ましい実施形態を参照すると、三脚２は、また、チューブ状の円筒形の支柱５を有している。この支柱は、前記クロスピース３の中央ホール（図示されず）内に摺動するように装着され、このホール内に調節可能な形態で摺動するように保持されている。
【００２０】
前記支柱５は、軸方向の一端部に、スチールカメラのような機器５０用の固定プレート７を有し、好ましくは電動式の支持ヘッド８は、この固定プレート７と機器５０との間に配置されている。
【００２１】
前記支持ヘッド８は、ボールタイプの枢支ジョイント１０により支柱５に接続され、前記機器５０を３つの回動軸線Ｘ，Ｙ，Ｚに沿って調節可能に設定することができる。
【００２２】
この例では、ヘッド８の前記第２の可動部材７ａは、プレート７に接続可能な球関節１１を有し、一方、前記第１の固定部材６ａは、ヘッド８のボディ１ａ（三脚２に接続可能である）に形成されたキャビティ１３を有し、前記球関節１１を収容する回動用座部を構成している。これにより、機器を接続しているプレート７と、三脚２に接続されているヘッド８の一部との間のボールジョイント接続が、確実にされる。
【００２３】
このタイプのジョイントの一例は、本出願人によるイタリア特許出願ＰＤ２００４Ａ０００２２７に示されている。
【００２４】
「ジョイスティック」と称される更なるボールジョイント１０’（前の実施形態とは逆さまである）が、図３に示される本発明の好ましい実施形態に使用されている。このボールジョイントでは、球関節１１が、キャビティ１３が可動部材７ａに形成されたボディと、固定部材６ａとを示している。この実施形態では、三脚２は、中央の支柱５を有していないが、ジョイント１０’は、クロスピース３に直接配置されている。このタイプのジョイントの一例は、本出願人のイタリア特許出願ＰＤ２００３Ａ０００１９に示されている。
【００２５】
これとは対照的に、別のタイプのジョイント１０’’が、図４に示されている本発明の実施形態に示されている。この実施形態には、特にビデオカメラを設定する場合に適したジョイント１０’’により三脚２に接続された支持ヘッド８が、示されている。このタイプの機器の特別な支持体は、実際に、互いに直交する２つの軸線を中心とした機器の移動、即ち、機器の傾きが水平方向に対して調節される水平方向のいわゆる「傾き」と、角度のある視界が水平方向に沿って移動される垂直方向のいわゆる「パノラマ」とを確実にしなければならない。このタイプのジョイントは、本出願人のイタリア特許出願ＰＤ２００５Ａ０００１４３に一例として示されている。
【００２６】
しかし、この分野で知られる他のタイプのジョイントも、本発明に含まれる。
【００２７】
図示されている好ましい例の全てにおいて、互いに異なるタイプの支持ヘッド８が、異なる機能を有するジョイント１０，１０’，１０’’により異なる支持体２に夫々接続されるように示され、本発明に係わるシステム１は、また、これらジョイント１０，１０’，１０’’をロック/非ロックするためのアクチュエータ手段１５を含んだサーボメカニズム１２を夫々有している。
【００２８】
これらロック/非ロックするためのアクチュエータ手段１５は、支持ヘッド８の第１の固定部材６ａの第２の可動部材７ａに対する動きをロック又は非ロックして、スチール/ビデオカメラ５０の所望の設定を維持又は変更することができる。複数のジョイント１０，１０’，１０’’により支持体２に枢支されたヘッド８の場合、全ての第１並びに第２の部材６ａ，７ａは、ロック/非ロックするアクチュエータ手段１５を有するだろう。
【００２９】
前記ロック/非ロックするアクチュエータ手段１５は、前記ヘッド８をロックするように負荷を与える手段、例えば、ノブ又はレバー（両方とも図示されず）により可動のピン、若しくは、この分野で知られる他の手段、例えば、摩擦力により支持ヘッド８の移動をロックする磁気的手段を有している。代わって、枢支ジョイント１０，１０’，１０’’に摩擦によるロック用の負荷を与える手段が、また、例えば、スラストが伝達される油圧ピストン装置（図示されず）を有している。このようなスラストは、ピストンの摺動チャンバ中の圧力を調節することにより果たされる。
【００３０】
更に、前記サーボメカニズム１２は、１つ以上の回動軸線を中心として機器５０の位置を調節するように、ジョイント１０，１０’，１０’’を夫々設定する手段１８を有し得ることが好ましい。これら手段は、機器５０の所望の設定を可能にするように、１つ以上の軸線に沿って可動のジョイント部材を固定のジョイント部材に対して移動させることにより、ジョイントの傾きを調節する。
【００３１】
前記設定手段１８は、とりわけ、支柱５、かくしてフォトシネマ機器５０の所望の高さを調節するように、支持体２が支柱５を有している場合に、この支柱５の摺動手段１７を有することができる。
【００３２】
前記サーボメカニズム１２、特に、非ロック/ロックするアクチュエータ手段１５並びに/若しくは設定手段１８は、必要とされる移動のために、１つ以上のモータ手段（図示されず）に接続されている。
【００３３】
前記サーボメカニズム１２は、また、上述された移動のために前記モータ手段に電力を供給するように、電源３９、例えばバッテリー又は他の供給源に接続されている。この電源３９は、（添付されている図１ないし４に示されているような）ジョイント１０，１０’，１０’’中に組み込まれても良いし、他の場所、例えば支持体２又は予め選定された場所に配置されても良い。バッテリー源の可能な配置の一例は、本出願人のイタリア特許出願ＰＤ２００５Ａ０００２４９に示されている。
【００３４】
システム１は、また、本発明の主な特徴の１つに従えば、前記サーボメカニズム１２を制御するように、即ち電動式のヘッド８のロック/非ロックを遠隔制御するように、サーボメカニズムの遠隔制御手段１９を有している。この遠隔制御手段は、オプションとして、機器５０の設定を制御し、即ち、位置付けジョイント１０，１０’，１０’’の１つ以上の回動軸線に沿って機器５０を移動させ、また更には、支柱５を設定するように設定手段１８により軸方向に移動させる。
【００３５】
詳細には、前記遠隔制御手段１９は、後述されるように位置された押しボタン式の制御部を有している。
【００３６】
この押しボタン式の制御部２０は、この制御部により与えられたコマンドをレシーバー２２に伝送するように、トランスミッター２１に接続されている。前記レシーバーは、例えば、図１並びに２に示されている好ましい実施形態のように、枢支されたボールジョイント１０，１０’，１０’’中に組み込まれることができる。
【００３７】
このレシーバー２２は、前記サーボメカニズム１２に、例えば電気的に接続されている。かくして、サーボメカニズムは、前記遠隔制御手段１９と連動し、ロック/非ロックのコマンド並びに/若しくは設定のコマンドが、サーボメカニズム１２から物理的にかなり離れた押しボタン２０により、サーボメカニズム１２に与えられることができる。
【００３８】
前記トランスミッター２１は、例えば、赤外線又は無線のトランスミッターである。トランスミッター２１に代わる手段として、電線が、押しボタン式の制御部により与えられたコマンドを電気的に伝送するように、押しボタン式の制御部２０をレシーバー２２に接続している。
【００３９】
ユーザは、押しボタン式の制御部が、機器５０が使用されるのと同時に使用されるのに適した位置に配置されているので、機器５０を把持しながら押しボタン式の制御部を押すことができる。
【００４０】
図１に示されているシステム１の第１の好ましい実施形態に係われば、前記遠隔制御手段１９は、押しボタン式の制御部２０が配置された遠隔制御支持部３５を有している。この遠隔制御支持部は、ユーザが機器５０を把持している時に、この機器のボディとユーザの指との間に配置されることができる。
【００４１】
便宜的には、この遠隔制御支持部３５は、前記押しボタン式の制御部２０とトランスミッター２１との両方が中に組み込まれた専用のグローブ２６を構成し、かくして、手の位置を機器５０から十分に放している。特に、押しボタン式の制御部２０は、グローブが装着されているときに、指先に位置される。
【００４２】
更なる電源３０が、また、必要に応じて、このグローブ２６中に組み込まれることができる。
【００４３】
このグローブ２６中の押しボタン式の制御部２０を押すと、前記トランスミッター２１により発生された信号が、ジョイント１０中に配置されたレシーバー２２に到達し、またジョイント１０中に配置されたサーボメカニズム１２を制御する。このサーボメカニズムは、例えば、ヘッド８をロック又は非ロックするように前記ロック/非ロックするアクチュエータ手段１５を駆動し、かくしてヘッドの角度を夫々ロック又は変更する。
【００４４】
図示されていない本発明の他の変形例において、トランスミッター２１と、更なる電源３０とは、取り外し可能な形態で、機器５０（図１に示されている実施形態ではスチールカメラ）に配置される。
【００４５】
図２に示されている本発明の第２の実施形態では、システム１は、取り外し可能な形態で機器５０に配置された押しボタン式の制御部２０を含む遠隔制御手段１９を有している。特に、押しボタン式の制御部２０は、接着手段又は同様の装着手段により、機器５０に接続されている。同様に、トランスミッター２１（図２に点線で示されている）は、フラッシュ−ホルダーガイド(flash-holder guide)４１中に挿入されることができるスライド４０のような把持手段により機器に配置されている。代わって、トランスミッター２１は、機器５０の下でプレート７に装着されることができる（図２の点線を見よ）。
【００４６】
ジョイント１０’近くに配置されたレシーバー２２と、押しボタン２０との間の接続が、電線（図２の点線６１により示されている）により与えられている本発明の他の好ましい実施形態では、トランスミッター２１を設ける必要がない。
【００４７】
図２に示されている好ましい実施形態では、ジョイント１０に配置されたサーボメカニズム１２は、遠隔制御手段１９からかなり離れている。ユーザは、スチールカメラ５０を把持して撮影し、これと同時に、設定、並びに/若しくはロック/非ロックを制御することができる。これは、押しボタン式の制御部２０がカメラに位置されているためである。
【００４８】
代わって、システム１は、前記固定プレート７近くで電動式のヘッド８に配置された遠隔制御手段１９を有している。特に、図３に示されているように、押しボタン式の制御部２０は、サーボメカニズム１２に対して離れた位置ではあるが、前記ジョイントに配置されている。この場合、押しボタン式の制御部２０の隣には、機器５０のシャッターを制御するように、更なるボタン、即ちシャッターボタン６が設けられている。このシャッターの押しボタンは、好ましくは電気又は電子タイプのシャッター遠隔制御装置を有する写真機器等のシャッターを遠隔制御するキットの一部として形成されている。このシャッターの押しボタン６により、正確に、機器５０が駆動され、写真撮影が行われる。撮影を遠隔制御するためのこのようなキットの一例は、本出願人のイタリア特許出願ＰＤ２００４Ａ０００００２に示されている。
【００４９】
前記押しボタン２０を押すことにより、サーボメカニズム１２は、前記ロック/非ロックするアクチュエータ手段を駆動させるように、また必要に応じて、ジョイント１０’を設定するように、命令される。
【００５０】
図４に示されている本発明の第４の実施形態では、システム１は、特にビデオカメラ５０を設定するためのジョイント１０’’を有している。
【００５１】
押しボタン２０を有する遠隔制御手段１９が、ヘッド８のボディ１ａから延びているハンドル２７に配置されている。このハンドル２７は、また、レシーバー２２に接続されたトランスミッター２１を有している（レシーバーもトランスミッターも、図４に示されていない）。前記レシーバーは、サーボメカニズム１２に接続され、前の実施形態のように枢支されたジョイント１０’’中に組み込まれている。代わって、電線２８が設けられ、この電線は、サーボメカニズム１２に押しボタン式の制御部２０を接続している。この押しボタン式の制御部２０近くで、ハンドル２７には、ビデオカメラ５０の制御に関連した更なる押しボタン５５が設けられ得る。このため、同一のハンドルを使用して、ビデオカメラをこれの制御ボタン５５により操作することと、ビデオカメラを押しボタン２０により設定すること、並びに/若しくはロック/非ロックすることが可能である。
【００５２】
上述された実施形態では、ただ１つの押しボタンを有する押しボタン式の制御部２０が示されているが、この制御部は、所望の数の押しボタンと、タッチスクリーン又はレバーとを有することができる。このため、例えば、ジョイント１０，１０’，１０’’の設定手段１８又はロック/非ロックの手段１５のような所望の手段を選択することにより、サーボメカニズム１２を所望の形態で駆動させて、ジョイントのある程度の移動、即ち軸線に対する傾き、並びに/若しくは支柱５の高さを制御することができる。従って、用語「押しボタン式の制御部」は、一般に、押すかタッチするかにより駆動されることのできる部材（押しボタン、タッチスクリーン、またはレバー等）を称している。
【００５３】
更に、上述された部材のいずれかの組み合わせが、本発明の開示内容に含まれる。即ち、ハンドル２７に設けられている押しボタン式の制御部２０は、また、図４に示されているタイプのジョイント１０’’だけでなく、図１に示されているようなボールタイプのジョイント１０に設けられても良いし、制御装置１９が図１に示されているのと同様のグローブ２６に配置され得る、図４に示されているタイプのジョイント１０’’に配置されても良い。
【００５４】
かくして、本発明は、知られた技術よりも多くの利点を提供することにより、提示された問題を解決している。
【００５５】
第１に、機器の設定と実行可能な制御とを同時に果たすことのできる遠隔制御により、機器を設定することが可能である。
【００５６】
また、操作者側の非常にわずかな労力で、ロック並びに/若しくは非ロック、並びに/若しくは、設定の動作を果たすことが可能であり、これは、サーボメカニズムが、押しボタン式の制御部と直接機械接続することなく、これらの動作を果たす役割を担っているためである。
【図面の簡単な説明】
【００５７】
【図１】本発明に従って形成された、光学並びに/若しくはフォトシネマ機器用の調節可能なヘッドを設定する遠隔制御用のシステムの第１の実施形態の斜視図である。
【図２】本発明に従って形成された、光学並びに/若しくはフォトシネマ機器用の調節可能なヘッドを設定する遠隔制御用のシステムの第２の実施液体の斜視図である。
【図３】本発明に従って形成された、光学並びに/若しくはフォトシネマ機器用の調節可能なヘッドを設定する遠隔制御用のシステムの第３の実施形態の斜視図である。
【図４】本発明に従って形成された、光学並びに/若しくはフォトシネマ機器用の調節可能なヘッドを設定する遠隔制御用のシステムの第４の実施形態の斜視図である。
【図１】
2009534716.tif 000003
【図２】
2009534716.tif 000004
【図３】
2009534716.tif 000005
【図４】
2009534716.tif 000006
【国際調査報告】
2009534716.tif 000007
2009534716.tif 000008
2009534716.tif 000009